(57)【要約】    【課題】玄関子機および居室親機の間を接続するにあたり、通話を成立させるための２線の伝送路を使用して警報の表示制御を行うことにより、配線の省線化を図る。    【解決手段】玄関子機１および居室親機２の間を接続する２線の伝送路Ｌ1、Ｌ2を経由して、居室親機からの動作電源、通話音声、警報信号および警報音を多重化させて玄関子機に伝送する。また、玄関子機は、居室親機から多重化されて伝送されてくる動作電源、通話音声、警報信号および警報音を分離して、動作電源の供給、通話音声の放音、警報信号の受信による警報表示灯１０７の表示制御、子機スピーカ１０５からの警報音の発報を行う。また、警報表示灯の表示制御は、通話の成立と同時に行う。  【選択図】図１
2007174146.tif 000002
【特許請求の範囲】
【請求項１】
玄関に設置される玄関子機（１）と、前記玄関子機に２線の伝送路（Ｌ1、Ｌ2）を経由して接続され前記玄関子機からの呼び出しに応答して通話を成立させる居室親機（２）とを備え、
前記居室親機は、ガス漏れ、火災等のセキュリティ異常時にセキュリティ信号が入力されるセキュリティ信号入力端子（Ｔ2c）と、前記入力されたセキュリティ信号を検出するための制御回路（２１０）と、電源、通話音声および前記検出されたセキュリティ信号により生成される警報信号および警報音を多重化して前記２線の伝送路で前記玄関子機に伝送するための多重回路（２１３）とを有し、
前記玄関子機は、前記居室親機から伝送されてきた前記電源、前記通話音声、前記警報信号および前記警報音を分離するための分離回路（１１１）と、前記分離された警報信号によりセキュリティ異常を表示するための警報表示灯（１０７）および前記分離された警報音によりセキュリティ異常を発報するための子機スピーカ（１０５）とを有することを特徴とするインターホン装置。
【請求項２】
警報表示とともに通話も同時に行うことを特徴とする請求項１記載のインターホン装置。
【発明の詳細な説明】
【技術分野】
【０００１】
本発明は、セキュリティ異常を検知して警報の表示／発報を行うことができるインターホン装置に係り、特に、配線の省線化が図られたインターホン装置に関する。
【背景技術】
【０００２】
従来から、警報表示灯付玄関子機の警報表示灯を点滅させるにあたり、セキュリティインターホン室内親機および警報表示灯付玄関子機の間の通話ラインの配線を警報表示灯用の配線として接続した場合において、通話ラインの配線を無極性にすることができるセキュリティインターホン装置が開示されている（例えば、特許文献１を参照。）。
【０００３】
【特許文献１】特開２００５−１０９７２８号公報（段落番号「００１２」乃至「００２６」、第１図、第２図）
【発明の開示】
【発明が解決しようとする課題】
【０００４】
背景技術に開示した特許文献１のセキュリティインターホン装置によれば、セキュリテティインターホン親機および警報表示灯付玄関子機の間の接続には、通話を成立させるための第１、第２の各伝送線路（伝送路と同意。）の他に、警報の報知のための第３の伝送線路が必要であり、これらの配線に煩雑さを有していた。
【０００５】
本発明は、この難点を解消するためになされたもので、玄関子機および居室親機の間を接続するにあたり、通話を成立させるための２線の伝送路を使用して警報の表示制御を行うことにより、配線の省線化が図られたインターホン装置を提供することを目的としている。
【課題を解決するための手段】
【０００６】
前述の目的を達成するため、本発明の第１の態様であるインターホン装置は、玄関に設置される玄関子機と、玄関子機に２線の伝送路を経由して接続され玄関子機からの呼び出しに応答して通話を成立させる居室親機とを備えたものである。居室親機は、ガス漏れ、火災等のセキュリティ異常時にセキュリティ信号が入力されるセキュリティ信号入力端子、入力されたセキュリティ信号を検出するための制御回路と、電源、通話音声および検出されたセキュリティ信号により生成される警報信号および警報音を多重化して２線の伝送路で玄関子機に伝送するための多重回路とを有している。玄関子機は、居室親機から伝送されてきた電源、通話音声、警報信号および警報音を分離するための分離回路と、分離された警報信号によりセキュリティ異常を表示するための警報表示灯および分離された警報音によりセキュリティ異常を発報するための子機スピーカとを有している。
【０００７】
また、本発明の第２の態様であるインターホン装置は、本発明の第１の態様において、警報表示とともに通話も同時に行うものである。
【発明の効果】
【０００８】
本発明のインターホン装置によれば、玄関子機および居室親機の間を接続する２線の伝送路を経由して、居室親機からの動作電源、通話音声、警報信号および警報音を多重化させて玄関子機に伝送することができる。また、玄関子機は、居室親機から多重化されて伝送されてくる動作電源、通話音声、警報信号および警報音を分離して、動作電源の供給、通話音声の放音、警報信号の受信による警報表示灯の表示制御、子機スピーカからの警報音の発報を行うことができる。これにより、通話を成立させるための２線の伝送路を使用して警報表示灯の表示制御を容易に行うことができ、通話用の配線とは別途の表示制御用の配線が不要であり省線化が図られるばかりでなく、この表示制御は、通話の成立と同時に行うことができる。
【発明を実施するための最良の形態】
【０００９】
以下、本発明のインターホン装置を適用した最良の実施の形態例について、図面を参照して説明する。
【００１０】
図１は、本発明の実施例によるインターホン装置の具体的な構成を示す回路ブロック図である。
【００１１】
図１に示すインターホン装置は、玄関に設置される玄関子機１と、住戸内に設置される居室親機２とが２線の伝送路（以下、第１、第２の各伝送路という。）Ｌ1、Ｌ2をそれぞれ経由して接続されている。
【００１２】
玄関子機１には、２つの伝送路接続端子（以下、第１、第２の各子機端子という。）Ｔ1a、Ｔ1b、呼出ボタン１００、呼出検出回路（以下、子機呼出検出回路という。）１０１、カメラ１０２、映像変調回路１０３、マイク（以下、子機マイクという。）１０４、スピーカ（以下、子機スピーカという。）１０５、通話回路（以下、子機通話回路という。）１０６、警報表示灯１０７、警報信号受信回路１０８、ダイオードブリッジ回路１０９、電源回路（以下、子機電源回路という。）１１０、多重・分離回路（以下、子機多重・分離回路という。）１１１が備えられている。
【００１３】
この玄関子機１において、第１、第２の各子機端子Ｔ1a、Ｔ1bのうち、第１の子機端子Ｔ1aには、第１の伝送路Ｌ1と、子機呼出検出回路１０１と、ダイオードブリッジ回路１０９の整流側の一方とがそれぞれ接続されている。一方、第２の子機端子Ｔ1bには、第２の伝送路Ｌ2と、子機呼出検出回路１０１と、ダイオードブリッジ回路１０９の整流側の他方とがそれぞれ接続されている。
【００１４】
呼出ボタン１００は、玄関に居る人物、例えば、来訪者が住戸内に在室中の居住者を呼び出すために操作するものである。
【００１５】
子機呼出検出回路１０１は、呼出ボタン１００の操作の有無を監視し、来訪者による呼出操作を検出したとき、第１、第２の各子機端子Ｔ1a、Ｔ1bにそれぞれ接続された第１、第２の各伝送路Ｌ1、Ｌ2の２線の間に予め重畳されている直流電源の電圧レベルを電圧降下するためのものである。
【００１６】
カメラ１０２は、呼出操作を行った来訪者の映像や玄関の周囲近傍の映像を撮像するためのものである。このカメラ１０２としては、例えば、ＣＣＤ（Charge Coupled Devices）、ＣＭＯＳ（Complementary Metal Oxide Semiconductor）等の各種の撮像素子が好適とされる。
【００１７】
映像変調回路１０３は、カメラ１０２にて撮像された映像であり電気信号に信号処理された映像信号をＦＭ（Frequency Modulation）変調するためのものである。
【００１８】
子機マイク１０４および子機スピーカ１０５は、来訪者が居住者との間で通話を成立させるにあたり、音声（送話音声、受話音声）を入出力するためのものである。なお、子機スピーカ１０５は、居室親機２にて受信／検出される後述するセキュリティ異常の内容を、聴覚を通じて報知するにあたり、所定のパターンの警報音（音声メッセージを含む。）を発報する機能を有している。
【００１９】
子機通話回路１０６は、子機マイク１０４にて入力される音声（送話音声）であり電気信号に信号処理された音声信号について４線／２線変換、増幅等を行い、子機多重・分離回路１１１に送出するとともに、子機多重・分離回路１１１を経由して分離された居室親機２から伝送されてくる音声信号や警報音（警報音信号）について２線／４線変換、増幅等を行い、子機スピーカ１０５から放音／発報させるためのものである。
【００２０】
警報表示灯１０７は、居室親機２にて受信／検出される後述するセキュリティ異常の内容を、視角を通じて報知するにあたり、所定の発光色で点滅／点灯されるものである。この警報表示灯１０７としては、例えば、アノードに子機電源回路１１０が、カソードに警報信号受信回路１０８がそれぞれ接続されたＬＥＤ（Light Emitting Diode）が好適とされる。
【００２１】
警報信号受信回路１０８は、子機多重・分離回路１１１を経由して分離された居室親機２から伝送されてくる警報信号を受信し、警報表示灯１０７の点滅／点灯制御を行うためのものである。
【００２２】
ダイオードブリッジ回路１０９は、居室親機２から給電されてくる直流電源を整流／平滑（ＤＣ−ＤＣ変換）するためのものである。このダイオードブリッジ回路１０９の整流側の一方には第１の子機端子Ｔ1aが、整流側の他方には第２の子機端子Ｔ1bが、（＋）出力側には子機多重・分離回路１１１が、（−）出力側には基準電位点がそれぞれ接続されている。
【００２３】
子機電源回路１１０は、子機多重・分離回路１１１を経由して分離された直流電源を受電し、待受時用の待受電源、または当該玄関子機の構成各部／回路をそれぞれ動作させるのに必要な所定の電圧レベルの動作電源を生成するためのものである。
【００２４】
子機多重・分離回路１１１は、映像変調回路１０３からの映像変調信号および子機通話回路１０６からの音声信号を多重化（重畳）させてダイオードブリッジ回路１０９に送出する一方、ダイオードブリッジ回路１０９を経由して整流／平滑（ＤＣ−ＤＣ変換）された直流電源、居室親機２から伝送されてくる音声信号、警報信号および警報音（警報音信号）を分離して、直流電源は子機電源回路１１０に、音声信号および警報音（警報音信号）は子機通話回路１０６に、警報信号は警報信号受信回路１０８にそれぞれ送出するためのものである。
【００２５】
また、居室親機２には、２つの伝送路接続端子（以下、第１、第２の各親機端子という。）Ｔ2a、Ｔ2b、セキュリティ信号入力端子Ｔ2c、電源接続端子Ｔ2d、呼出検出回路（以下、親機呼出検出回路という。）２００、セキュリティ異常検出回路２０１、マイク（以下、親機マイクという。）２０２、スピーカ（以下、親機スピーカという。）２０３、通話回路（以下、親機通話回路という。）２０４、モニタ２０５、映像復調回路２０６、操作部２０７、警報信号送出回路２０８、音声合成回路２０９、制御回路２１０、電源回路（以下、親機電源回路という。）２１１、子機用電源供給回路２１２、多重・分離回路（以下、親機多重・分離回路という。）２１３が備えられている。
【００２６】
この居室親機２において、第１、第２の各親機端子Ｔ2a、Ｔ2bのうち、第１の親機端子Ｔ2aには、第１の伝送路Ｌ1と、親機呼出検出回路２００と、親機多重・分離回路２１３とがそれぞれ接続されている。一方、第２の親機端子Ｔ2bには、第２の伝送路Ｌ2と、親機呼出検出回路２００と、親機通話回路２０４とがそれぞれ接続されている。
【００２７】
セキュリティ信号入力端子Ｔ2cは、ガス漏れ、火災等のセキュリティ異常時にセキュリティ信号が入力されるものである。このセキュリティ信号入力端子Ｔ2cには、通常、セキュリティセンサ（図示せず。）が接続されている。
【００２８】
電源接続端子Ｔ2dは、商用電源（ＡＣ１００Ｖ）が印加されるものであり、親機電源回路２１１に接続されている。
【００２９】
親機呼出検出回路２００は、第１、第２の各親機端子Ｔ2a、Ｔ2bにそれぞれ接続された第１、第２の各伝送路Ｌ1、Ｌ2の２線の間に予め重畳されている直流電源の電圧レベルを監視し、この電圧降下が所定のレベルであった場合には来訪者による呼出操作が行われたことを検出して制御回路２１０に呼出信号を送出するためのものである。
【００３０】
セキュリティ異常検出回路２０１は、セキュリティ信号入力端子Ｔ2cに入力されたセキュリティ信号を受信し、検出されたセキュリティ異常の内容を示すセキュリティ異常検出信号を制御回路２１０に送出するためのものである。
【００３１】
親機マイク２０２および親機スピーカ２０３は、居住者が来訪者との間で通話を成立させるにあたり、音声（送話音声、受話音声）を入出力するためのものである。なお、親機スピーカ２０３は、セキュリティ異常検出回路２０１（および制御回路２１０）にて検出されるセキュリティ異常の内容を、聴覚を通じて報知するにあたり、所定のパターンの警報音（音声メッセージを含む。）を発報する機能を有している。
【００３２】
親機通話回路２０４は、親機マイク２０２にて入力される音声（送話音声）であり電気信号に信号処理された音声信号について４線／２線変換、増幅等を行い、親機多重・分離回路２１３に送出するとともに、親機多重・分離回路２１３を経由して分離された玄関子機１から伝送されてくる音声信号や後述する音声合成回路２０９にて生成された警報音（警報音信号）について２線／４線変換、増幅等を行い、親機スピーカ２０３から放音／発報させるためのものである。
【００３３】
モニタ２０５は、玄関子機１のカメラ１０２にて撮像された映像や来訪者からの呼び出しがある旨の文字メッセージや絵データ、セキュリティ異常検出回路２０１（および制御回路２１０）にて検出されるセキュリティ異常の内容を示す文字メッセージや絵データ等を表示するためのものである。このモニタ２０５としては、ＬＣＤ（Liquid Crystal Display）、有機ＥＬ（Electro Luminescence）ディスプレイ等の各種の表示部が好適とされる。
【００３４】
映像復調回路２０６は、親機多重・分離回路２１３を経由して分離された玄関子機１から伝送されてくる映像変調信号を復調してモニタ２０５に送出するためのものである。
【００３５】
操作部２０７は、来訪者からの呼び出しがあることを確認した居住者が通話を成立させるために応答操作を行うものである。この操作部２０７としては、例えば、通話ボタン等の操作ボタンやタッチパネルが好適とされる。
【００３６】
警報信号送出回路２０８は、セキュリティ異常検出回路２０１からのセキュリティ異常検出信号を受信／検出した制御回路２１０により制御され、玄関子機１に警報移報するための警報信号を生成して親機多重・分離回路２１３に送出するためのものである。
【００３７】
音声合成回路２０９は、親機呼出検出回路２００からの呼出検出信号を受信／検出した制御回路２１０により制御され、親機スピーカ２０３から放音させる呼出音（音声メッセージを含む。）を生成して親機通話回路２０４に送出するとともに、前述の警報信号送出回路２０６と同様、セキュリティ異常検出回路２０１からのセキュリティ異常検出信号を受信／検出した制御回路２１０により制御され、親機スピーカ２０３および玄関子機１の子機スピーカ１０５から発報させる警報音（音声メッセージを含む。）を生成して親機通話回路２０４および親機多重・分離回路２１３にそれぞれ送出するためのものである。
【００３８】
制御回路２１０は、当該居室親機の構成各部／回路をそれぞれ制御するためのものである。
【００３９】
親機電源回路２１１は、電源接続端子Ｔ2dに印加された商用電源（ＡＣ１００Ｖ）について整流／平滑させた直流電源を、待受時用の待受電源、または当該居室親機の構成各部／回路をそれぞれ動作させるのに必要な所定の電圧レベルの動作電源として供給するためのものである。
【００４０】
子機用電源供給回路２１２は、親機電源回路２１１にて整流／平滑された直流電源を玄関子機１の待受電源または動作電源として親機多重・分離回路２１３に給電するためのものである。
【００４１】
親機多重・分離回路２１３は、子機用電源供給回路２１２からの直流電源、親機通話回路２０４からの音声信号、警報信号送出回路２０８からの警報信号、音声合成回路２０９からの警報音（警報音信号）を多重化（重畳）して第１の親機端子Ｔ2aに送出するとともに、玄関子機１から伝送されてくる第２の親機端子Ｔ2bに入力された音声信号および映像変調信号を分離して、音声信号は親機通話回路２０４に、映像変調信号は映像復調回路２０６にそれぞれ送出するためのものである。
【００４２】
このように構成された本発明の実施例によるテレビドアホン装置において、以下、具体的な動作について説明する。
【００４３】
当該テレビドアホン装置が待受状態である待受時において、居室親機２の親機電源回路２１１は、電源接続端子Ｔ2dに印加された商用電源（ＡＣ１００Ｖ）について整流／平滑させた待受用の電圧レベルの直流電源である待受電源を当該居室親機の構成各部／回路にそれぞれ供給することができる。また、子機用電源供給回路２１２は、親機電源回路２１１にて整流／平滑された待受電源を、親機多重・分離回路２１３、第１の親機端子Ｔ2a、第１の伝送路Ｌ1、玄関子機１の第１の子機端子Ｔ1aを経由してダイオードブリッジ回路１０９の整流側の一方に印加する。
【００４４】
玄関子機１のダイオードブリッジ回路１０９は、整流側の一方に印加された待受電源を、（＋）出力側から子機多重・分離回路１１１を経由して子機電源回路１１０に供給する。また、子機電源回路１１０は、受電された待受電源を当該玄関子機の構成各部／回路にそれぞれ供給することができる。このとき、玄関子機１の基準電位点は、ダイオードブリッジ回路１０９の（−）出力側、整流側の他方、第２の子機端子Ｔ1b、第２の伝送路Ｌ2、居室親機２の第２の親機端子Ｔ2bを経由して当該居室親機の基準電位点に引き込まれることにより、第１、第２の各伝送路Ｌ1、Ｌ2の２線の間には、待受電源が重畳されることになる。
【００４５】
次に、前述のような待受時において、来訪者が居住者を呼び出すために玄関子機１の呼出ボタン１００を操作すると、この呼出操作を検出した子機呼出検出回路１０１の制御により、第１、第２の各伝送路Ｌ1、Ｌ2の２線の間に予め重畳されている待受電源の電圧レベルが電圧降下する。この電圧降下を検出した居室親機２の親機呼出検出回路２００は、来訪者からの呼び出しがある旨の呼出信号を生成して制御回路２１０に送出することができる。
【００４６】
居室親機２の制御回路２１０は、親機呼出検出回路２００からの呼出信号を検出すると、音声合成回路２０９を制御して生成させた呼出音（音声メッセージを含む。）を、親機通話回路２０４を経由して親機スピーカ２０３から放音させるとともに、モニタ２０５および映像復調回路２０６がそれぞれ能動となるように制御して、来訪者からの呼び出しがある旨の文字メッセージや絵データ等をモニタ２０５に表示させることができる。また、制御回路２１０は、親機電源回路２１１を制御して待受時よりも高い電圧レベルである動作電源を、当該居室親機の構成各部／回路にそれぞれ供給するとともに、この動作電源を、子機用電源供給回路２１２から親機多重・分離回路２１３、第１の親機端子Ｔ2a、第１の伝送路Ｌ1、玄関子機１の第１の子機端子Ｔ1a、ダイオードブリッジ回路１０９の整流側の一方、（＋）出力側、子機多重・分離回路１１１を経由して子機電源回路１１０に供給させることができる。さらに、子機電源回路１１０は、受電された動作電源を当該玄関子機の構成各部／回路にそれぞれ供給することができる。
【００４７】
ここで、玄関子機１のカメラ１０２は、呼出操作を行った来訪者の映像や玄関の周囲近傍の映像の撮像を開始する。このカメラ１０２にて撮像された映像は、映像変調回路１０３を経由して映像変調信号にＦＭ変調された後、子機多重・分離回路１１１、ダイオードブリッジ回路１０９の（＋）出力側、整流側の一方、第１の子機端子Ｔ1a、第１の伝送路Ｌ1、居室親機２の第１の親機端子Ｔ2a、親機多重・分離回路２１３を経由して映像復調回路２０６に伝送される。
【００４８】
居室親機２の映像復調回路２０６は、玄関子機１から伝送されてきた映像変調信号を復調してモニタ２０５に送出することにより、カメラ１０２にて撮像された映像をモニタ２０５に表示させることができる。
【００４９】
次に、居室親機２の親機スピーカ２０３から放音された呼出音（音声メッセージを含む。）およびモニタ２０５に表示された文字メッセージや絵データ等をもとに、来訪者からの呼び出しがあることを確認し、併せてモニタ２０５に表示されている映像をもとに当該来訪者の識別が可能な居住者が操作部２０７にて所定の応答操作を行うと、この操作を検出した制御回路２１０の制御により、居住者が使用する親機マイク２０２および親機スピーカ２０３と、親機通話回路２０４、親機多重・分離回路２１３、第１の親機端子Ｔ2a、第１の伝送路Ｌ1、玄関子機１の第１の子機端子Ｔ1a、ダイオードブリッジ回路１０９の整流側の一方、（＋）出力側、子機多重・分離回路１１１、子機通話回路１０６を経由して来訪者が使用する子機マイク１０４および子機スピーカ１０５との間の通話ラインを形成することができる。
【００５０】
前述のような通話ラインが形成されているとき、居住者が居室親機２の親機マイク２０２に入力した音声（送話音声）であり電気信号に信号処理された音声信号（以下、居住者音声信号という。）は、親機通話回路２０４を経由して親機多重・分離回路２１３に伝送される。この親機多重・分離回路２１３は、子機用電源供給回路２１２からの動作電源に居住者音声信号を多重化（重畳）させた後、第１の親機端子Ｔ2a、第１の伝送路Ｌ1、玄関子機１の第１の子機端子Ｔ1a、ダイオードブリッジ回路１０９の整流側の一方、（＋）出力側を経由して子機多重・分離回路１１１に送出する。
【００５１】
玄関子機１の子機多重・分離回路１１１は、居室親機２から多重化されて伝送されてきた動作電源および居住者音声信号を分離して、動作電源は子機電源回路１１０に、居住者音声信号は子機通話回路１０６を経由して子機スピーカ１０５にそれぞれ送出することにより、子機電源回路１１０から当該玄関子機の構成各部／回路への動作電源の供給が継続されるとともに、居住者の音声を子機スピーカ１０５から放音させることができる。
【００５２】
一方、前述のような通話ラインが形成されているとき、来訪者が玄関子機１の子機マイク１０４に入力した音声（送話音声）であり電気信号に信号処理された音声信号（以下、来訪者音声信号という。）は、子機通話回路１０６を経由して子機多重・分離回路１１１に伝送される。この子機多重・分離回路１１１は、映像変調回路１０３からの映像変調信号に来訪者音声信号を多重化（重畳）させた後、ダイオードブリッジ回路１０９の（＋）出力側、整流側の一方、第１の子機端子Ｔ1a、第１の伝送路Ｌ1、居室親機２の第１の親機端子Ｔ2aを経由して親機多重・分離回路２１３に送出する。
【００５３】
居室親機２の親機多重・分離回路２１３は、玄関子機１から多重化されて伝送されてきた映像変調信号および来訪者音声信号を分離して、映像変調信号は映像復調回路２０６に、来訪者音声信号は親機通話回路２０４を経由して親機スピーカ２０３にそれぞれ送出することにより、カメラ１０２にて撮像された映像のモニタ２０５への表示が継続されるとともに、来訪者の音声を親機スピーカ２０３から放音させることができ、特に、居住者にとっては、来訪者の様子を確認しながらの通話が可能となる。
【００５４】
次に、前述のような通話が成立しているとき、住戸内にてガス漏れ、火災等のセキュリティ異常が発生すると、このセキュリティ異常を検知したセキュリティセンサ（図示せず。）にて生成されたセキュリティ信号が居室親機２のセキュリティ信号入力端子Ｔ2cに入力された後、セキュリティ異常検出回路２０１にて受信される。
【００５５】
居室親機２のセキュリティ異常検出回路２０１は、受信されたセキュリティ信号をもとにセキュリティ異常の内容を検出し、検出された内容を示すセキュリティ異常検出信号を制御回路２１０に送出する。
【００５６】
居室親機２の制御回路２１０は、セキュリティ異常検出回路２０１からのセキュリティ異常検出信号を検出すると、音声合成回路２０９を制御して生成させた警報音（警報音信号）を、親機通話回路２０４を経由して親機スピーカ２０３から発報させるとともに親機多重・分離回路２１３に送出し、さらには、警報信号送出回路２０８を制御して生成させた警報信号を親機多重・分離回路２１３に送出することができる。また、制御回路２１０は、玄関子機１のカメラ１０２にて撮像された映像が表示されているモニタ２０５に、セキュリティ異常の内容を示す文字メッセージや絵データ等を表示させることもできる。
【００５７】
居室親機２の親機多重・分離回路２１３は、子機電源供給回路２１２からの動作電源に、親機通話回路２０４からの居住者音声信号、警報信号送出回路２０８からの警報信号および音声合成回路２０９からの警報音（警報音信号）を多重化（重畳）させた後、第１の親機端子Ｔ2a、第１の伝送路Ｌ1、玄関子機１の第１の子機端子Ｔ1a、ダイオードブリッジ回路１０９の整流側の一方、（＋）出力側を経由して子機多重・分離回路１１１に送出する。
【００５８】
玄関子機１の子機多重・分離回路１１１は、居室親機２から多重化されて伝送されてきた動作電源、居住者音声信号、警報信号および警報音（警報音信号）を分離して、動作電源は子機電源回路１１０に、居住者音声信号および警報音（警報音信号）は子機通話回路１０６を経由して子機スピーカ１０５に、警報信号は警報信号受信回路１０８にそれぞれ送出することにより、子機電源回路１１０から当該玄関子機の構成各部／回路への動作電源の供給が継続されるとともに、居住者の音声をセキュリティ異常の内容を示す警報音（音声メッセージを含む。）と併せて子機スピーカ１０５から発報させることにより、居住者との間で通話が成立中の来訪者は、住戸内にてガス漏れ、火災等のセキュリティ異常が発生したことを、聴覚を通じて容易に確認することができる。また、警報信号受信回路１０８は、子機多重・分離回路１１１を経由して分離された警報信号を受信すると、警報表示灯１０７を所定の発光色で点滅／点灯させることにより、居住者との間で通話が成立中の来訪者は、住戸内にてガス漏れ、火災等のセキュリティ異常が発生したことを、視角を通じて容易に確認することができる。
【００５９】
前述までの説明から明らかなように、本発明のインターホン装置によれば、玄関子機１および居室親機２の間を接続する２線の伝送路Ｌ1、Ｌ2を経由して、居室親機２からの動作電源、通話音声、警報信号および警報音を多重化させて玄関子機１に伝送することができる。また、玄関子機１は、居室親機２から多重化されて伝送されてくる動作電源、通話音声、警報信号および警報音を分離して、動作電源の供給、通話音声の放音、警報信号の受信による警報表示灯１０７の表示制御、子機スピーカ１０５からの警報音の発報を行うことができる。これにより、通話を成立させるための２線の伝送路Ｌ1、Ｌ2を使用して警報表示灯１０７の表示制御を容易に行うことができ、通話用の配線とは別途の表示制御用の配線が不要であり省線化が図られるばかりでなく、この表示制御は、通話の成立と同時に行うことができる。
【００６０】
なお、本発明のインターホン装置においては、特定の実施の形態をもって説明してきたが、この形態に限定されるものでなく、本発明の効果を奏する限り、これまで知られた如何なる構成のインターホン装置、例えば、映像の撮像／表示機能が不備とされるインターホン装置であっても採用できるということはいうまでもないことである。
【図面の簡単な説明】
【００６１】
【図１】本発明の実施例によるインターホン装置の具体的な構成を示す回路ブロック図。
【符号の説明】
【００６２】
１……玄関子機
１０５……子機スピーカ
１０７……警報表示灯
１１１……子機多重・分離回路（分離回路）
２……居室親機
２１０……制御回路
２１３……親機多重・分離回路（多重回路）
Ｔ2c……セキュリティ信号入力端子
Ｌ1、Ｌ2……２線の伝送路
【図１】
2007174146.tif 000003